(57)【要約】      （修正有）【課題】陰茎を保持する位置を簡単な操作で変更することができ、しかも歩行中などにおいて陰茎の保持が外れてしまうおそれのない陰茎保持具を提供する。【解決手段】陰茎保持具１は、シートと、シートの一端部の表面側に取り付けられた面ファスナ雌側部と、シートの表面の長手方向の中央部から面ファスナ雌側部へ寄った位置に固定された面ファスナ雄側部７とを含む。陰茎１３が上を向くようにしてパンツ１５を履き、パンツを面ファスナ雄側部に押し付けると、面ファスナ雄側部がパンツの内面を構成する布地に係合して、陰茎が陰茎保持具を介してパンツの内面に固定される。面ファスナ雄側部がパンツの内面に係合しているので、面方向（前後左右方向）の力が加わっても、陰茎保持具がパンツから不用意に外れてしまうことはない。面ファスナ雄側部とパンツの内面を離間する方向へ引っ張ることで、陰茎保持具の固定を比較的簡単に解除できる。【選択図】図４
0003233848.tif 000002
【実用新案登録請求の範囲】
【請求項１】
陰茎に巻き付ける帯状のシートと、前記シートの長手方向の一端部と他端部を着脱自在に連結して前記シートを環状とする連結手段と、前記シートの外面に設けられ、前記シートを陰茎に巻き付けた者が履いているパンツに対し前記シートを着脱自在に固定できる固定手段を具備することを特徴とする陰茎保持具。
【請求項２】
請求項１に記載した陰茎保持具において、連結手段はシートの長手方向の連結位置が変更可能で、環状を成すシートの内径を調節することができることを特徴とする陰茎保持具。
【請求項３】
請求項１または２に記載した陰茎保持具において、シートは長手方向に伸縮するものであることを特徴とする陰茎保持具。
【請求項４】
請求項１から３のいずれかに記載した陰茎保持具において、シートの裏面側には弾性変形可能なクッション材が設けられていることを特徴とする陰茎保持具。
【請求項５】
請求項１から４のいずれかに記載した陰茎保持具において、固定手段は面ファスナ雄部材であることを特徴とする陰茎保持具。
【考案の詳細な説明】
【技術分野】
【０００１】
本考案は陰茎保持具に関するものである。
【背景技術】
【０００２】
陰茎が下を向いている状態になっていると、胡坐をかいた状態や歩行中において不快感を覚える者が少なくない。また、陰茎が陰嚢と接触していると、蒸れてしまい不快感を覚えるだけでなく、不衛生な状態になるおそれがある。
特許文献１には、紳士用ビキニパンツの前部分の内側に、帯状の布の両端を縫い付けて、この帯状の布に陰茎を入れることで上向きに保持するものがある。
特許文献２に記載されたペニス固定シートは、シートの裏面側を粘着テープでパンツに固定し、基盤シートとバンド部シートの間にペニスを通し、バンド部シートの前面側に設けられた突起でペニスを挟み込むことで、ペニスが左右方向へ位置ずれするのを防止しようとするものである。
【先行技術文献】
【特許文献】
【０００３】
【特許文献１】実開平６−３９９０２号公報
【特許文献２】特開２００７−２３８１号公報
【考案の概要】
【考案が解決しようとする課題】
【０００４】
しかしながら、特許文献１の紳士用ビキニパンツでは、その前部分の内側に帯状の布を縫い付けているので、陰茎を保持する位置を変更することができないという不都合がある。
特許文献２のペニス固定シートでは、ペニスを突起で挟み込むことで、ペニスの位置ずれを防止しようとするものなので、歩行中などにおいてペニスの保持が外れてしまうおそれがある。
本考案は上記従来の問題点に着目して為されたものであり、陰茎を保持する位置を簡単な操作で変更することができ、しかも歩行中などにおいて陰茎の保持が外れてしまうおそれのない陰茎保持具の提供を、その目的とする。
【課題を解決するための手段】
【０００５】
本考案は上記課題を解決するためになされたものであり、請求項１の考案は、陰茎に巻き付ける帯状のシートと、前記シートの長手方向の一端部と他端部を着脱自在に連結して前記シートを環状とする連結手段と、前記シートの外面に設けられ、前記シートを陰茎に巻き付けた者が履いているパンツに対し前記シートを着脱自在に固定できる固定手段を具備することを特徴とする陰茎保持具である。
【０００６】
請求項２の考案は、請求項１に記載した陰茎保持具において、連結手段はシートの長手方向の連結位置が変更可能で、環状を成すシートの内径を調節することができることを特徴とする陰茎保持具である。
【０００７】
請求項３の考案は、請求項１または２に記載した陰茎保持具において、シートは長手方向に伸縮するものであることを特徴とする陰茎保持具である。
【０００８】
請求項４の考案は、請求項１から３のいずれかに記載した陰茎保持具において、シートの裏面側には弾性変形可能なクッション材が設けられていることを特徴とする陰茎保持具である。
【０００９】
請求項５の考案は、請求項１から４のいずれかに記載した陰茎保持具において、固定手段は面ファスナ雄部材であることを特徴とする陰茎保持具である。
【考案の効果】
【００１０】
本考案の陰茎保持具によれば、陰茎を保持する位置を簡単な操作で変更することが可能で、しかも歩行中などにおいて陰茎の保持が外れてしまうのを確実に防止することができる。
【図面の簡単な説明】
【００１１】
【図１】本考案の実施の形態に係る陰茎保持具の表面側から見た斜視図である。
【図２】図１の陰茎保持具の裏面側から見た斜視図である。
【図３】図１の陰茎保持具を陰茎に装着した状態の斜視図である。
【図４】陰茎に装着した図１の陰茎保持具がパンツの内面に固定された状態を説明するための図である。
【図５】図１の陰茎保持具の内径を調節して陰茎に装着した状態の斜視図である。
【図６】その他の実施の形態に係る陰茎保持具の裏面側から見た斜視図である。
【考案を実施するための形態】
【００１２】
本考案の実施の形態に係る陰茎保持具１を図面にしたがって説明する。
符号３は帯状のシートを示し、このシート３はポリウレタン繊維等の伸縮性を有する合成繊維を含む材料によって構成されており、長手方向に伸縮することができる。シート３の長さ寸法は１５０ｍｍであり、幅寸法は２５ｍｍである。シート３は長手方向へ約３０ｍｍ、弾性的に伸びることが可能である。
【００１３】
図１に示すようにシート３の一端部（図１において左端部）の表面側には、面ファスナ雌側部５が取り付けられている。面ファスナ雌側部５の長さ寸法（シート３の長手方向の寸法）は２０ｍｍである。また、シート３の表面の長手方向の中央部から面ファスナ雌側部５へ寄った位置に固定手段としての面ファスナ雄側部７が固定されている。
【００１４】
図２に示すようにシート３の他端部（図１において右端部）の裏面側には、面ファスナ雄側部９が取り付けられている。面ファスナ雄側部９の長さ寸法（シート３の長手方向の寸法）は１５ｍｍである。
面ファスナ雌側部５と面ファスナ雄側部９によって連結手段が構成されている。
また、シート３の裏面側の面ファスナ雄側部９が取り付けられた部分以外の領域にはクッション材が貼付されている。このクッション材１１は軟質ポリウレタンフォーム等の合成樹脂によって構成されている。クッション材１１の厚さ寸法は５ｍｍである。
【００１５】
次に、この陰茎保持具１の使用方法を説明する。
図３に示すように陰茎保持具１はクッション材１１を内側にくるようにして陰茎１３に巻き付け、面ファスナ雌側部５と面ファスナ雄側部９を連結し、シート３を環状にして陰茎保持具１を陰茎１３に装着する。
図４に示すように陰茎１３が上を向くようにしてパンツ１５を履き、パンツ１５を面ファスナ雄側部７に押し付けると、面ファスナ雄側部７がパンツ１５の内面を構成する布地に係合して、陰茎１３が陰茎保持具１を介してパンツ１５の内面に固定されることになる。面ファスナ雄側部７がパンツ１５の内面に係合しているので、面方向（前後左右方向）の力が加わっても、陰茎保持具１がパンツ１５から不用意に外れてしまうことはない。一方、面ファスナ雄側部７とパンツ１５の内面を離間する方向へ引っ張ることで、陰茎保持具１の固定を比較的簡単に解除することができる。
【００１６】
陰茎保持具１は、シート３が長手方向に伸縮できるものであり、しかもクッション材１１を有しているので、確実に、しかも不快な圧迫感を覚えることがなく陰茎１３を保持することができる。
前述のように面ファスナ雄側部７とパンツ１５の内面を離間する方向へ引っ張ることで、陰茎保持具１の固定を比較的簡単に解除することができるので、簡単な操作で陰茎１３を保持する位置を変更することが可能である。また、前述のように面方向（前後左右方向）の力が加わっても、陰茎保持具１がパンツ１５から不用意に外れることがないので、歩行中などにおいて陰茎１３の保持が外れてしまうのを確実に防止することができる。
【００１７】
更に、陰茎保持具１を使用すると、陰茎１３が常に上を向いている状態になっているので、胡坐をかいた状態や歩行中において不快感を覚えることがなくなる。更に、図４に示すように陰茎１３が陰嚢１７と常に離間しているので、蒸れてしまうのを防止でき、不快感を覚えることがなくなり、不衛生な状態になるのも防止することができる。
また、陰茎保持具１を装着することで陰茎１３が上を向いた状態となるので、パンツ１５を少し下げるだけで陰茎１３が露出することになる。従って、小便をする際に陰茎１３を速やかにパンツ１５から出すことができる。更に、小便をする際に陰茎保持具１を持つことで、陰茎１３に直接触れる必要がなくなり、衛生的である。
【００１８】
図５に示すように陰茎１３が太い場合には、面ファスナ雌側部５と面ファスナ雄側部９を環状となるシート３の径寸法が大きくなる方向へずらして連結する。また、陰茎１３が細い場合には、面ファスナ雄側部９を環状となるシート３の径寸法が小さくなる方向へずらして連結する。このように、面ファスナ雌側部５と面ファスナ雄側部９はシート３の長手方向の連結位置が変更可能で、これにより環状を成すシート３の内径を調節することができる。
【００１９】
図６に示す陰茎保持具１９のようにクッション材１１を備えない構成とすることも可能である。
【００２０】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、固定手段を面ファスナ雄側部によって構成したが、陰茎保持具をパンツに固定することができるものであれば、繰り返し使用可能な粘着シート等によって構成してもよい。
【００２１】
また、連結手段を面ファスナ雌側部と面ファスナ雄側部によって構成したが、シートを環状となるように着脱自在に連結することができるものであれば、ホック等によって構成してもよい。
シートの構成材料はポリウレタン繊維に限定されず、長手方向へ伸縮性を有するものであれば他の材料によって構成してもよい。更に、シートの長さ寸法、幅寸法及び長手方向へ弾性的に伸びる寸法、面ファスナ雄側部の寸法及び面ファスナ雌側部の寸法は上記したものに限定されない。
また、伸縮性を殆ど有さないシートであっても使用することができる。
更に、実際に販売する場合においては、上記寸法について複数種類のサイズの陰茎保持具を揃えるようにする。
【産業上の利用可能性】
【００２２】
本考案は、陰茎保持具の製造、販売業に利用可能性を有する。
【符号の説明】
【００２３】
１…陰茎保持具      ３…シート    ５…面ファスナ雌側部    ７…面ファスナ雄側部
９…面ファスナ雄側部            １１…クッション材      １３…陰茎
１５…パンツ        １７…陰嚢    １９…陰茎保持具
【図１】
0003233848.tif 000003
【図２】
0003233848.tif 000004
【図３】
0003233848.tif 000005
【図４】
0003233848.tif 000006
【図５】
0003233848.tif 000007
【図６】
0003233848.tif 000008